(57)【要約】  【課題】商品陳列棚の下方に陳列した商品の前面を効果的に照明することができるショーケースにおける陳列棚のプライスカードレールを提供する。  【解決手段】前面が開口した商品陳列部４に上下複数段の商品陳列棚３を設けたオープンショーケース１の商品陳列棚３の前端部に設けられるプライスカードレール１２の下面部に、照明器具を装着するための下方が開口した照明器具装着溝１４をプライスカードレール１２の長手方向に形成し、前記照明器具装着溝１４にＬＥＤ１６を嵌着する。【選択図】図１
2010125044.tif 000002
【特許請求の範囲】
【請求項１】
前面が開口した商品陳列部に上下複数段の商品陳列棚を設け、該商品陳列棚の前端部に、棚フェンスを支持するとともに商品表示体を保持するプライスカードレールを設けたショーケースにおいて、
前記プライスカードレールの下面部に、照明器具を装着するための下方が開口した照明器具装着溝を、プライスカードレールの長手方向に形成したことを特徴とするプライスカードレール。
【請求項２】
前記照明器具が、前記照明器具装着溝に着脱可能に嵌着するＬＥＤであることを特徴とする請求項１記載のプライスカードレール。
【請求項３】
前記照明器具が、前記照明器具装着溝に着脱可能に嵌着するホルダと、該ホルダに設けられた複数のＬＥＤであることを特徴とする請求項１記載のプライスカードレール。
【発明の詳細な説明】
【技術分野】
【０００１】
本発明は、プライスカードレールに関し、特に、オープンショーケースの商品陳列用として使用される商品陳列棚の前端部に取り付けられるプライスカードレールの構造に関する。
【背景技術】
【０００２】
スーパーマーケットやコンビニエンスストア等の食品売場に設置されているオープンショーケースでは、前面が開口した商品陳列部に上下複数段に商品陳列棚を設けるとともに、この商品陳列棚の前端部に、棚上に陳列した商品の商品名や価格等を表示した表示体、例えばプライスカードを保持するとともに、商品がずれ落ちることを防止するための棚フェンスを支持するプライスカードレールを取り付けている。さらに、商品陳列棚の下面でプライスカードレールの後方には、下方の商品を照明するための照明器具、例えば蛍光灯を設けている（例えば、特許文献１参照。）。
【特許文献１】特開２００２−１０８８８号公報
【発明の開示】
【発明が解決しようとする課題】
【０００３】
上述のように、プライスカードレールの後方に照明器具を設けた場合、下方に陳列した商品の前面部分が照度不足になることがある。特に、紙パック製品や袋に詰めた冷凍食品のように、立てた状態で並べて陳列する商品では、照明器具と商品上部との間隔が狭くなるため、商品の頂部のみが照明されてしまい、商品名などを記載した前面がほとんど照明されず、暗い感じになり、陳列効果を損なうことがあった。
【０００４】
そこで本発明は、下方に陳列した商品の前面を効果的に照明することができるショーケースにおける陳列棚のプライスカードレールを提供することを目的としている。
【課題を解決するための手段】
【０００５】
上記の課題を解決するため本発明のプライスカードレールは、前面が開口した商品陳列部に上下複数段の商品陳列棚を設け、該商品陳列棚の前端部に、棚フェンスを支持するとともに商品表示体を保持するプライスカードレールを設けたショーケースにおいて、前記プライスカードレールの下面部に、照明器具を装着するための下方が開口した照明器具装着溝をプライスカードレールの長手方向に形成したことを特徴としている。
【０００６】
さらに、本発明のプライスカードレールは、前記照明器具が、前記照明器具装着溝に着脱可能に嵌着するＬＥＤであること、あるいは、前記照明器具が、前記照明器具装着溝に着脱可能に嵌着するホルダと、該ホルダに設けられた複数のＬＥＤであることを特徴としている。
【発明の効果】
【０００７】
本発明のプライスカードレールによれば、商品陳列棚の前端部下面に照明器具を取り付けることができるので、下方に陳列した商品の前面部分を効果的に照明することができる。また、蛍光灯に比べて小さなＬＥＤを照明器具とすることにより、下方の商品の出し入れの邪魔になることがない。さらに、複数のＬＥＤをホルダに設けてプライスカードレールに装着することにより、ＬＥＤの装着を容易に行うことができる。
【発明を実施するための最良の形態】
【０００８】
図１は本発明のプライスカードレールを取り付けた商品陳列棚の一形態例を示す要部の断面図、図２は本発明のプライスカードレールを取り付けた商品陳列棚を用いたオープンショーケースの一例を示す断面側面図、図３は本発明のプライスカードレールを取り付けた商品陳列棚の他の形態例を示す要部の断面図である。
オープンショーケース１は、前面に開口部を有するショーケース本体２の内部に上下複数段の商品陳列棚３を設けた商品陳列部４を形成するとともに、ショーケース本体２の背面に背面ダクト５を形成し、該背面ダクト５の下方部分に冷却器６及び送風機７を配置している。オープンショーケース１の開口上方には、背面ダクト５からの冷気を開口前面に下方に向けて吹き出すための冷気吹出口８を設けるとともに、開口下方には冷気吹出口８から吹き出した冷気を吸い込むための冷気吸込口９を設けている。
【０００９】
商品陳列棚３は、後端部に設けた係止部１０を商品陳列部４の背面板１１に係止させて庫内に上下所定間隔で設けられるもので、前端部にはプライスカードレール１２と棚フェンス１３とが取り付けられている。プライスカードレール１２は、合成樹脂や金属、例えば、アルミニウム合金の押出成形品で断面Ｌ字状に形成されており、棚板先端の下辺に下部係合片１２ａを係合させた状態で商品陳列棚３の前端部に取り付けられる。プライスカードレール１２の前面板１２ｂと棚板先端面との間には、前記棚フェンス１３を取り付ける棚フェンス挿入溝１４が形成され、前面板１２ｂの前面上下には、商品名や価格を表示した表示体（図示せず）を取り付けるための係止部１２ｃ，１２ｄが設けられている。
【００１０】
さらに、プライスカードレール１２の下面部には、照明器具を装着するための下方が開口した照明器具装着溝１５が設けられている。この照明器具装着溝１５は、プライスカードレール１２の長手方向に連続して形成されており、照明となる複数のＬＥＤ１６と、このＬＥＤ１６に給電するための配線（図示せず）を収納可能な形状に形成されている。ＬＥＤ１６及び配線は、プライスカードレール１２を形成したときに、ＬＥＤ１６及び配線を長手方向に一体的に組み付けて照明付きのプライスカードレール１２としている。
【００１１】
また、図３に示すように、プライスカードレール１２の下部に設けた照明器具装着溝１５の形状を、配線済みの基板１７にＬＥＤ１６を組み込んだ市販のＬＥＤユニット（ＬＥＤ部品）１８を取付可能な形状に形成することもできる。これにより、部品コストやＬＥＤ１６を組み込んだプライスカードレール１２の製造コストを低減することができる。
【００１２】
このように、商品陳列棚３の下方に陳列した商品を照明するＬＥＤ１６を、商品陳列棚３の前端部に設けられるプライスカードレール１２の下部に設けた照明器具装着溝１５内に埋め込むようにして一体的に設けることにより、下方に陳列した商品が背の高い商品であっても、その商品の前面部分を効果的に照明することができるとともに、蛍光灯に比べて小型のＬＥＤ１６を用いることにより、下方の商品を出し入れする際の邪魔になることもない。
【００１３】
また、プライスカードレール１２を熱伝導性に優れたアルミニウム合金で形成することにより、ＬＥＤ１６の発熱を効果的に発散することができ、ＬＥＤ１６やプライスカードレール１２の温度上昇を防止することができる。また、照明器具装着溝１５内にＬＥＤ１６を埋め込むように配置するとともに、下方の係止部１２ｄを照明器具装着溝１５の開口端より下方に延設することにより、商品を出し入れする際に照明が目に入ることがなくなり、まぶしさを感じることもなくなる。
【００１４】
なお、本発明のプライスカードレールは、オープンショーケースに限らず、各種構成のショーケースに適用することができ、不透明乃至半透明の合成樹脂で形成することもできる。また、使用するＬＥＤは、一般に市販されているＬＥＤ、ＬＥＤユニットを用いることができ、照明器具装着溝の形状は、ＬＥＤ、ＬＥＤユニットの形状に対応して形成すればよい。
【図面の簡単な説明】
【００１５】
【図１】本発明のプライスカードレールを取り付けた商品陳列棚の一形態例を示す要部断面図である。
【図２】本発明のプライスカードレールを取り付けた商品陳列棚を用いたオープンショーケースの一例を示す断面側面図である。
【図３】本発明のプライスカードレールを取り付けた商品陳列棚の他の形態例を示す要部断面図である。
【符号の説明】
【００１６】
１  オープンショーケース
２  ショーケース本体
３  商品陳列棚
４  商品陳列部
５  背面ダクト
６  冷却器
７  送風機
８  冷気吹出口
９  冷気吸込口
１０  係止部
１１  背面板
１２  プライスカードレール
１２ａ  下部係合片
１２ｂ  前面板
１２ｃ，１２ｄ  係止部
１３  棚フェンス
１４  棚フェンス挿入溝
１５  照明器具装着溝
１６  ＬＥＤ
１７  基板
１８  ＬＥＤユニット
【図１】
2010125044.tif 000003
【図２】
2010125044.tif 000004
【図３】
2010125044.tif 000005